【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
ワイヤレス通信チャネルから、ステアリングマトリクスＰに基づいて生成された複数のトレーニングフィールドと、データと、を含むデータメッセージを受信する入力と、
前記チャネルを表すマトリクスＨを推定し、前記複数のトレーニングフィールドと前記ステアリングマトリクスＰと前記マトリクスＨとに基づいてパラメータを再帰的に計算するチャネル推定モジュールと、
前記パラメータに基づき、前記データに対して係数を適用する等化モジュールと
を備え、
前記チャネル推定モジュールによる再帰的計算は、前記複数のトレーニングフィールドが受信されている間に実施される
受信モジュール。
【請求項２】
前記チャネル推定モジュールは、前記複数のトレーニングフィールドのうち先頭トレーニングフィールドを受信すると前記再帰的計算を開始し、前記複数のトレーニングフィールドのうち最終トレーニングフィールドを受信すると前記再帰的計算を終了する
請求項１に記載の受信モジュール。
【請求項３】
前記チャネル推定モジュールは、前記再帰的計算の反復のそれぞれを、前記複数のトレーニングフィールドのうち対応するトレーニングフィールドを受信した後で実施する
請求項１または２に記載の受信モジュール。
【請求項４】
前記データを時間領域信号から周波数領域信号に変換する複数のＦＦＴモジュール
をさらに備える、請求項１〜３のいずれか一項に記載の受信モジュール。
【請求項５】
前記複数のＦＦＴモジュールの複数の出力は、前記等化モジュールの複数の入力と通信する
請求項４に記載の受信モジュール。
【請求項６】
前記等化モジュールの出力から送られる前記周波数領域信号に基づいて、データシンボルを生成するビタビ復号モジュール
をさらに備える、請求項５に記載の受信モジュール。
【請求項７】
前記複数のトレーニングフィールドはＩＥＥＥ８０２．１１ｎに準拠している
請求項１〜６のいずれか一項に記載の受信モジュール。
【請求項８】
請求項１〜７のいずれか一項に記載の受信モジュールと、
送信モジュールと
を備える送受信モジュール。
【請求項９】
前記送信モジュールは、前記複数のトレーニングフィールドに含まれることになる複数のトレーニングシンボルを生成し、
前記送信モジュールは、前記複数のトレーニングシンボルと前記ステアリングマトリクスＰとを乗算する乗算モジュールを有し、
前記ステアリングマトリクスＰは条件数が１である
請求項８に記載の送受信モジュール。
【請求項１０】
ワイヤレス通信チャネルから、ステアリングマトリクスＰに基づいて生成された複数のトレーニングフィールドと、データと、を含むデータメッセージを受信する受信ステップと、
前記チャネルを表すマトリクスＨを推定する推定ステップと、
前記複数のトレーニングフィールドと前記ステアリングマトリクスＰと前記マトリクスＨとに基づいてパラメータを再帰的に計算する再帰的計算ステップと、
前記パラメータに基づき、前記データに対して係数を適用する係数適用ステップと
を含み、
前記再帰的計算ステップは、前記複数のトレーニングフィールドが受信されている間に実施される
受信器を操作する方法。
【請求項１１】
前記再帰的計算ステップは、前記複数のトレーニングフィールドのうち先頭トレーニングフィールドを受信すると開始され、前記複数のトレーニングフィールドのうち最終トレーニングフィールドを受信すると終了される
請求項１０に記載の方法。
【請求項１２】
前記再帰的計算ステップの反復はそれぞれ、前記複数のトレーニングフィールドのうち対応するトレーニングフィールドを受信した後で実行される
請求項１０または１１に記載の方法。
【請求項１３】
前記データを時間領域信号から周波数領域信号に変換するステップ
をさらに含む、請求項１０〜１２のいずれか一項に記載の方法。
【請求項１４】
前記周波数領域信号を、係数を適用するステップへと送るステップ
をさらに含む、請求項１３に記載の方法。
【請求項１５】
前記係数適用ステップから出力される前記周波数領域信号に基づいて、データシンボルを生成するステップ
をさらに含む、請求項１４に記載の方法。
【請求項１６】
前記複数のトレーニングフィールドはＩＥＥＥ８０２．１１ｎに準拠している
請求項１０〜１５のいずれか一項に記載の方法。
【請求項１７】
請求項１０〜１６のいずれか一項に記載する方法と、
前記ワイヤレス通信チャネルを介してワイヤレス信号を送信する送信ステップと
を含む、送受信モジュールを操作する方法。
【請求項１８】
前記送信ステップは、前記複数のトレーニングフィールドに含まれることになる複数のトレーニングシンボルを生成するステップと、前記複数のトレーニングシンボルと前記ステアリングマトリクスＰとを乗算するステップとを含み、
前記ステアリングマトリクスＰは条件数が１である
請求項１７に記載の方法。
【請求項１９】
前記データメッセージを受信するＮ個（Ｎ：２以上の整数）の受信アンテナと、
前記データメッセージをＭ個（Ｍ：２以上Ｎ以下の整数）のストリームで送信するＭ個の送信アンテナと、
をさらに備える
請求項８または９に記載の送受信モジュール。
【請求項２０】
前記パラメータは、第１マトリクスに基づく第１パラメータ群と、第２マトリクスに基づく第２パラメータ群と、を含み、
前記第１マトリクスおよび前記第２マトリクスは前記マトリクスＨの再帰的なＱＲ分解に基づいている
請求項１〜７のいずれか一項に記載の受信モジュール。
【請求項２１】
前記第１マトリクスは前記ＱＲ分解の直交マトリクスの共役転置行列に基づいており、
前記第２マトリクスは前記ＱＲ分解の上三角行列の逆行列に基づいている
請求項２０に記載の受信モジュール。
【請求項２２】
前記パラメータは、サブストリームＳＮＲベクトルを含む
請求項２０または２１に記載の受信モジュール。
【請求項２３】
前記パラメータの前記再帰的計算が完了した後に、前記等化モジュールは、
前記データメッセージの前記データのベクトルに対して前記第１パラメータ群を適用して第１中間結果を生成し、
前記第１中間結果に対して前記第２パラメータ群を適用して第２中間結果を生成し、
前記第２中間結果に対して前記ステアリングマトリクスＰを適用して第３中間結果を生成し、
前記第３中間結果に前記サブストリームＳＮＲベクトルを適用して前記データメッセージの前記データを復元する
請求項２２に記載の受信モジュール。
【請求項２４】
前記パラメータは、第１マトリクスに基づく第１パラメータ群と、第２マトリクスに基づく第２パラメータ群と、を含み、
前記第１マトリクスおよび前記第２マトリクスは前記マトリクスＨの再帰的なＱＲ分解に基づいている
請求項１０〜１６のいずれか一項に記載の方法。
【請求項２５】
前記第１マトリクスは前記ＱＲ分解の直交マトリクスの共役転置行列に基づいており、
前記第２マトリクスは前記ＱＲ分解の上三角行列の逆行列に基づいている
請求項２４に記載の方法。
【請求項２６】
前記パラメータは、サブストリームＳＮＲベクトルを含む
請求項２４または２５に記載の方法。
【請求項２７】
前記パラメータの前記再帰的計算が完了した後に、
前記データメッセージの前記データのベクトルに対して前記第１パラメータ群を適用して第１中間結果を生成するステップと、
前記第１中間結果に対して前記第２パラメータ群を適用して第２中間結果を生成するステップと、
前記第２中間結果に対して前記ステアリングマトリクスＰを適用して第３中間結果を生成するステップと、
前記第３中間結果に前記サブストリームＳＮＲベクトルを適用して前記データメッセージの前記データを復元するステップと、
をさらに含む、請求項２６に記載の方法。